(57)【要約】【課題】  構成が比較的に簡単であり、空気の流出入経路が改善され、集塵装置の内部流路が改善され、内径構成が自由な集塵装置および集塵方法を提供する。【解決手段】  吸入力により流入されたゴミが含まれた空気からゴミを分離する真空掃除機用集塵装置において、前記集塵装置の上壁に形成された空気流入口と；前記空気流入口と連通して流入された空気を前記集塵装置の内部にガイドする流入パイプと；前記集塵装置の側壁に形成された排気口；捕集されたゴミが逆流することを防止し、前記集塵装置の内部に形成された少なくとも１つのガイド部材と；前記ガイド部材の下部に設けられ、捕集されたゴミが保存される汚物収去筒とを含む。【選択図】      図３
2006158943.tif 000002
【特許請求の範囲】
【請求項１】
吸入力により流入されたゴミが含まれた空気からゴミを分離する真空掃除機用集塵装置であって、
前記集塵装置の上壁に形成された空気流入口と；
前記空気流入口と連通して流入された空気を前記集塵装置内にガイドする流入パイプと；
前記集塵装置の側壁に形成された排気口と；
捕集されたゴミが逆流することを防止し、前記集塵装置の内部に形成された少なくとも１つのガイド部材と；
前記ガイド部材の下部に設けられ、捕集されたゴミが保存される汚物収去筒とを含むことを特徴とする集塵装置。
【請求項２】
前記ガイド部材には開口が形成されており、前記流入パイプが少なくとも１つの前記ガイド部材の前記開口を通過することを特徴とする請求項１に記載の集塵装置。
【請求項３】
前記ガイド部材は、第１ガイド部材および前記第１ガイド部材の上部に設けられた第２ガイド部材を含み、前記第２ガイド部材と前記流入パイプとの間には空気が通過できるように第２空気通過孔が形成されたことを特徴とする請求項２に記載の集塵装置。
【請求項４】
前記第１ガイド部材の一側端は、前記流入パイプの一側端より下部に位置し、前記第１ガイド部材の一側端と前記流入パイプの一側端との間に空気が通過できる第１空気通過孔が形成されたことを特徴とする請求項３に記載の集塵装置。
【請求項５】
前記第１ガイド部材の一側端が、前記流入パイプの一側端より上部に位置するように前記流入パイプが前記第１ガイド部材の前記開口を貫通することを特徴とする請求項３に記載の集塵装置。
【請求項６】
前記ガイド部材は、前記集塵装置の側壁から下向き傾いて突出されており、前記流入パイプは、前記集塵装置の上壁を貫通して突出されたことを特徴とする請求項３に記載の集塵装置。
【請求項７】
前記ガイド部材のうち少なくとも１つと前記流入パイプとの間の空気が通過する経路に設けられたフィルタをさらに含むことを特徴とする請求項２に記載の集塵装置。
【請求項８】
前記汚物収去筒の少なくとも一部は、端が切れた円錐形で構成されたことを特徴とする請求項２に記載の集塵装置。
【請求項９】
空気流入口および排気口を含み、吸入力により流入されたゴミが含まれた空気からゴミを分離する真空掃除機用集塵装置において、
前記空気流入口は、集塵装置の上壁中央部に形成され、前記排気口は、前記サイクロン集塵装置の側壁に形成され、前記上壁の空気流入口から流入された空気からゴミが分離された後、前記側壁の排気口に排出されることを特徴とする集塵装置。
【請求項１０】
前記集塵装置の内部には、側壁から下向き突出された少なくとも１つのガイド部材がさらに備えられたことを特徴とする請求項９に記載の集塵装置。
【請求項１１】
前記ガイド部材の下部には、前記集塵装置の側壁と着脱自在に結合され、捕集された汚物が保存される汚物収去筒をさらに含むことを特徴とする請求項１０に記載の集塵装置。
【請求項１２】
ａ）集塵装置の上壁に形成された空気流入口にゴミが含まれた空気が流入されるステップと；
ｂ）前記流入された空気が集塵装置の内部に設けられたガイド部材と流入パイプとの間の空気通過孔を通過するステップと；
ｃ）ゴミが含有された空気からゴミが分離されて汚物収去筒に捕集されるステップと；
ｄ）前記空気が前記集塵装置の側壁に形成された排気口に排出されるステップとを含むことを特徴とする集塵方法。
【請求項１３】
前記ｂ）ステップは、
ｅ）第１空気通過孔を通過するステップと；
ｆ）第２空気通過孔を通過するステップとを含むことを特徴とする請求項１２に記載の集塵方法。
【請求項１４】
前記ｃ）ステップは、
ｇ）前記第１空気通過孔の下部から分離されるステップと；
ｈ）前記第１空気通過孔を通過しながら分離されるステップと；
ｉ）前記第２空気通過孔を通過しながら分離されるステップとを含むことを特徴とする請求項１３に記載の集塵方法。
【発明の詳細な説明】
【技術分野】
【０００１】
本発明は、真空掃除機に関し、より詳しくは真空掃除機に設けられ、真空掃除機内に流入された集塵空気からゴミを分離する真空掃除機用集塵装置および集塵方法に関する。
【背景技術】
【０００２】
従来の真空掃除機の集塵装置は、ダスト袋を用いたが、ダスト袋をよく交替しなければならないという不便さのために、ダスト袋なく半永久的に用いることのできる集塵装置が開発され、現在、多く用いられている。
【０００３】
このような集塵装置の代表的な例として、遠心力を利用してゴミを分離する集塵装置、いわゆるサイクロン集塵装置が挙げられる。このようなサイクロン集塵装置は、韓国特許公開（２００１−０１０４８１０号）のように、回転気流を生成するために集塵装置の側壁の縁に空気流入口が形成されており、集塵装置の上壁に排気口が備えられている。前記のような構成により、空気流入口に流入された集塵空気は、集塵装置内で回転しながら、遠心力により空気より重いゴミや汚物などは分離されて下部に備えられたゴミ筒に捕集される。
【０００４】
このようなサイクロン集塵装置は、回転される半径を大きくすればするほど遠心力が大きくなるため、シリンダー形状の集塵筒の半径が大きく構成される。また、ゴミの捕集性を良好にするために、韓国特許公開（第２００２−００７３４６４号）のように排気口に別途のグリルやフィルタを備えることもあった。
【０００５】
一方、このような集塵装置は、ダスト袋を交替する厄介なく効果的にゴミを分離する集塵装置として認められたが、回転力を発生させるために空気入口を必ず側壁の縁に形成しなければならないという点と、集塵装置の内径を回転気流が形成されられる比較的大きなサイズで構成しなければならないという制約があって、掃除機内部の流路構成が複雑となり、集塵装置の大きさを小さく構成するのに限界があった。従って、新しい概念の集塵装置に対する研究が要求されてきた。
【特許文献１】韓国特許公開２００１−０１０４８１０号
【特許文献２】韓国特許公開２００２−００７３４６４号
【発明の開示】
【発明が解決しようとする課題】
【０００６】
本発明は、前記のような問題点を解決するために創案されたものであって、本発明の目的は、空気の流出入経路が改善された集塵装置を提供することにある。
【０００７】
また、本発明の他の目的は、構成が簡単であり、かつ集塵装置の内部流路が改善された集塵装置を提供することにある。
【０００８】
また、本発明の他の目的は、構成が比較的に簡単であり、内径構成が自由な集塵装置を提供することにその目的がある。
【課題を解決するための手段】
【０００９】
前記目的を達成するための本発明に係る真空掃除機用集塵装置は、吸入力により流入されたゴミが含まれた空気からゴミを分離する真空掃除機用集塵装置において、前記集塵装置の上壁に形成された空気流入口と；前記空気流入口と連通して流入された空気を前記集塵装置の内部にガイドする流入パイプと；前記集塵装置の側壁に形成された排気口と；捕集されたゴミが逆流することを防止し、前記集塵装置の内部に形成された少なくとも１つのガイド部材と前記ガイド部材の下部に設けられ、捕集されたゴミが保存される汚物収去筒とを含むことを特徴とする。
【００１０】
ここで、前記ガイド部材には、開口が形成されており、前記流入パイプが少なくとも１つの前記ガイド部材の前記開口を通過することが好ましい。
【００１１】
また、前記ガイド部材は、第１ガイド部材および前記第１ガイド部材の上部に設けられた第２ガイド部材を含み、前記第２ガイド部材と前記流入パイプとの間には空気が通過できるように第２空気通過孔が形成されたことが好ましい。
【００１２】
ここで、前記第１ガイド部材の一側端は、前記流入パイプの一側端より下部に位置し、前記第１ガイド部材の一側端と前記流入パイプの一側端との間に空気が通過できる第１空気通過孔が形成されたことが好ましい。
【００１３】
または、前記第１ガイド部材の一側端が、前記流入パイプの一側端より上部に位置するように前記流入パイプが前記第１ガイド部材の前記開口を貫通することが好ましい。
【００１４】
また、前記ガイド部材は、前記集塵装置の側壁から下向き傾いて突出されており、前記流入パイプは、前記集塵装置の上壁を貫通して突出されたことが好ましい。
【００１５】
また、前記ガイド部材のうち少なくとも１つと前記流入パイプとの間の空気が通過する経路に設けられたフィルタをさらに含むことが好ましい。
【００１６】
また、前記汚物収去筒は、前記汚物収去筒の少なくとも一部は、端が切れた円錐形で構成されたことが好ましい。
【００１７】
また、前記目的は、空気流入口および排気口を含み、吸入力により流入されたゴミが含まれた空気からゴミを分離する真空掃除機用集塵装置において、前記空気流入口は、集塵装置の上壁中央部に形成され、前記排気口は、前記サイクロン集塵装置の側壁に形成され、前記上壁の空気流入口から流入された空気からゴミが分離された後、前記側壁の排気口に排出されることを特徴とする集塵装置により達成される。
【００１８】
前記集塵装置は、前記集塵装置の内部には、側壁から下向き突出された少なくとも１つのガイド部材がさらに備えられたことが好ましい。
【００１９】
そして、前記ガイド部材の下部には、前記集塵装置の側壁と着脱自在に結合され、捕集された汚物が保存される汚物収去筒をさらに含むことが好ましい。
【００２０】
また、前記目的を達成するための本発明による真空掃除機用集塵方法は、
ａ）集塵装置の上壁に形成された空気流入口にゴミが含まれた空気が流入されるステップ；ｂ）前記流入された空気が集塵装置の内部に設けられたガイド部材と流入パイプとの間の空気通過孔を通過するステップ；ｃ）ゴミが含有された空気からゴミが分離されて汚物収去筒に捕集されるステップ；およびｄ）前記空気が前記集塵装置の側壁に形成された排気口に排出されるステップ；を含むことを特徴とする。
【００２１】
ここで、前記ｂ）ステップは、ｅ）第１空気通過孔を通過するステップ；およびｆ）第２空気通過孔を通過するステップ；を含むことが好ましい。
【００２２】
ここで、前記ｃ）ステップは、ｇ）前記第１空気通過孔の下部から分離されるステップ；ｈ）前記第１空気通過孔を通過しながら分離されるステップ；およびｉ）前記第２空気通過孔を通過しながら分離されるステップ；を含むことが好ましい。
【発明の効果】
【００２３】
本発明における真空掃除機用集塵装置は、上壁に空気流入口が設けられ、側壁に排気口が形成されて空気の流入および排出経路および分離構造が異なることにより、回転気流を生成するために必ず側壁の縁部分に空気流入口を設けなければならなかった流路構成に制約がなく、特に、集塵装置の内径をコンパクトに製作することが可能である。
【００２４】
また、排気口に別途のグリル部材が不要であり、空気の流入パイプおよびガイド部材を含む簡単な構成により集塵装置の製作費用が減少する。また、集塵装置の流路構造が簡単となり、これを通過する空気の圧損が減少し、吸入力の損失が減少する効果がある。
【発明を実施するための最良の形態】
【００２５】
以下、添付の図面を参照して本発明の第１実施形態に係る真空掃除機用集塵装置を詳しく説明する。
【実施例１】
【００２６】
図１乃至図３に示した通りに、集塵装置１００は、上壁１００ａと、側壁１００ｂと、空気流入口１１１と、流入パイプ１１２と、排気口１１３と、排出パイプ１１４と、汚物収去筒１２０と、ガイド部材１３０とを含む。本実施形態においては、家庭用掃除機に適合するように、集塵装置１００を内径（Ｄ２）が１５４ｍｍ、高さ（Ｈ１）が２５０ｍｍとなるように小型で製作した。
【００２７】
上壁１００ａおよび側壁１００ｂは、集塵空気からゴミと汚物が分離される円筒形の容器を形成する。
【００２８】
空気流入口１１１は、集塵装置１００内に集塵空気が流入される入口であって、上壁１１０の中央部に形成される。そして、このような空気流入口１１１は、上壁１００ａに直接形成されてもよいが、本実施形態のように流入パイプ１１２に形成してもよい。
【００２９】
流入パイプ１１２は、上壁１００ａを貫通して一部が突出され、残りは、集塵装置１００の内部に挿入される。流入パイプ１１２には、空気流入口１１１が形成され、このような流入パイプ１１２により空気流入口１１１を通じて流入された集塵空気が集塵装置１００の内部に案内される。より具体的に説明すると、流入パイプ１１２は、集塵空気を集塵装置１００内で下降するように導く。
【００３０】
このように下降する集塵空気中に含まれたゴミは、慣性力により続けて下降して、汚物収去筒１２０の底１２０ａと衝突して集塵空気から分離される。このように分離されたゴミは、汚物収去筒１２０の底１２０ａに収去される。そして、ゴミと分離された空気は、汚物収去筒１２０の底１２０ａにぶつかってさらに上昇することになる。
【００３１】
このように慣性力を利用してゴミを分離すると、従来とは異なって、遠心力を発生させるために空気流入口１１１を必ず側壁１００ｂに形成する必要がなく、集塵装置１００の内径（Ｄ２）を回転気流が形成され得るように大きくする必要がない。従って、集塵装置１００の構成が簡単となり、内径（Ｄ２）の大きさが自在となり、大きさの小さい集塵装置１００が提供される。
【００３２】
そして、より効果的に集塵空気を集塵装置１００の内部に下降誘導するために、集塵装置１００の内部に挿入された流入パイプ１１２の内部長さ（Ｈ２）は、集塵装置１００の全体長さ（Ｈ１）の０．６倍乃至０．８倍であることが好ましく、流入パイプ１１２の内径（Ｄ１）は、集塵装置１００の内径（Ｄ２）の０．５倍乃至０．６倍であることが好ましい。
【００３３】
排気口１１３は、ゴミと分離された空気が排出される出口であって、側壁１００ｂに形成される。このような排気口１１３は、側壁１００ｂに直接形成してもよいが、本実施形態のように、側壁１００ｂに設けられた円筒形の排出パイプ１１４に形成してもよい。参考的に、本実施形態において、排気口１１３の内径（Ｄ３）は、３６ｍｍである。
【００３４】
このような排気口１１３を通じてゴミと分離された空気が集塵装置１００内で上昇しながら排出される。一方、このような排気口１１３は、上昇する空気中に含まれたゴミが集塵装置１００内に設けられたガイド部材１３０により十分に遮断され、ぶつかりながら分離されるように、集塵装置１００の最上端に位置することが好ましい。このようにすることで、より浄化された空気が排気口１１３を抜け出ることができる。
【００３５】
そして、このような排気口１１３は、遠心力を付与するための空気入口でないため、側壁１００ｂに斜めに設置される必要がない。従って、その設置が容易である。
【００３６】
汚物収去筒１２０は、集塵空気から分離されたゴミが収去される、端の切れた円錐形の汚物収去容器である。このような汚物収去筒１２０は、収去されたゴミをより容易に捨てることができるように、第１ガイド部材１３１の下側に側壁１００ｂに着脱自在に設けられる。
【００３７】
図３乃至図５を参照すると、ガイド部材１３０は、汚物収去筒１２０に捕集された汚物の逆流を防止するために、集塵装置１００の内部に層をなして複数個が設けられる。このようなガイド部材１３０は、集塵装置１００の側壁１００ｂから汚物収去筒１２０に向いて下向きに傾いて突出される。
【００３８】
このようなガイド部材１３０により従来のサイクロン集塵装置のように排気口１１３に別途のグリル部材を設ける必要がない。従って、構成が簡単となる。
【００３９】
そして、このようなガイド部材１３０は、できるだけ多く設置することが好ましいが、過度に多く設置する場合、集塵装置１００内の流路構造が複雑となり吸入力が劣るため、本実施形態のように第１ガイド部材１３１と第２ガイド部材１３２の２つを設置することが好ましい。
【００４０】
図３および図４Ａを参照すると、第１ガイド部材１３１は、汚物収去筒１２０の上側へ側壁１００ｂに接着または溶接されて設置されるか、側壁１００ｂと一体に形成される。このような第１ガイド部材１３１は、汚物収去筒１２０方向にθ１の傾斜角を有する中心に直径がＤ３である開口１３１ｅが形成されたドーナッツ状のリブである。
【００４１】
このような傾斜角（θ１）により第１ガイド部材１３１の上面１３１ｂに溜まっているゴミは、汚物収去筒１２０に流れることができる。一方、第１空気通過孔１４１を抜け出るために上昇する空気中に含まれたゴミと、汚物収去筒１２０に収去された後にさらに上昇するゴミは、第１ガイド部材１３１の下面１３１ｃとぶつかって汚物収去筒１２０に落ちる。そして、開口１３１ｅは、流入パイプ１１２と共に第１空気通過孔１４１を形成できる。詳しい説明は、後述する。
【００４２】
図３および図４Ｂを参照すると、第２ガイド部材１３２は、第１ガイド部材１３１と排気口１１３との間に位置するように側壁１００ｂに接着または溶接されて設置されるか、または側壁１００ｂと一体で形成される。このような第２ガイド部材１３２は、汚物収去筒１２０の方向にθ２の傾斜角を有する中心に直径がＤ５である開口１３２ｅが形成されたドーナッツ状のリブである。
【００４３】
このような傾斜角θ２により第２ガイド部材１３２の上面１３２ｂに溜まっているゴミが滑り第１ガイド部材１３１の上面１３１ｂに落ちることができる。一方、第２空気通過孔１４２を抜け出るために上昇する空気中に含まれたゴミは、第２ガイド部材１３２の下面１３２ｃとぶつかって第１ガイド部材１３１の上面１３１ｂに落ちる。その後、第１ガイド部材１３１の上面１３１ｂに溜まったゴミは、滑って汚物収去筒１２０に落ちる。そして、開口１３２ｅは、流入パイプ１１２と共に第２空気通過孔１４２を形成する。詳しい説明は後述する。
【００４４】
図３を参照するに、このようなガイド部材１３０と流入パイプ１１２により集塵装置１００の内部には複数個の空気通過孔１４０が形成される。本実施形態においては、空気通過孔１４０が第１空気通過孔１４１と第２空気通過孔１４２の２つが形成される。
【００４５】
第１空気通過孔１４１は、第１ガイド部材１３１の一側端が流入パイプ１１２の一側端より下部に位置して形成された空気流路であって、より具体的に、このような第１空気通過孔１４１は、第１ガイド部材１３１の上面角１３１ａと流入パイプ１１２の終端１１２ｂにより形成された、高さがＨ３である帯状の孔である。
【００４６】
そして、このような第１空気通過孔１４１の高さ（Ｈ３）は、第１ガイド部材１３１の傾斜角（θ１）と、流入パイプ１１２の内部長さ（Ｈ２）に伴って異なる可能性がある、たとえば、第１ガイド部材１３１の傾斜角（θ１）が小さいほど、流入パイプ１１２の内部長さ（Ｈ２）が短いほど、第１空気通過孔１４１の高さ（Ｈ３）は大きくなる。参考的に、本実施形態において第２空気通過孔１４２の高さ（Ｈ３）は１５ｍｍである。
【００４７】
第２空気通過孔１４２は、第２ガイド部材１３２と流入パイプ１１２との間に空気が通過できるように流入パイプ１１２の周囲に形成される空気流路である。このために、流入パイプ１１２が第２ガイド部材１３２の開口１３２ｅ（図４Ｂ参照）を貫通する。より具体的に、このような第２空気通過孔１４２は、第２ガイド部材１３２の右側面１３２ａと流入パイプ１１２に形成された幅がＷ１である帯状の孔である。
【００４８】
そして、このような第２空気通過孔１４２の幅（Ｗ４）は、第２ガイド部材１３２の傾斜角（θ２）と、流入パイプ１１２の内径（Ｄ１）に伴って異なる可能性がある。たとえば、第２ガイド部材１３２の傾斜角（θ２）が小さいほど、流入パイプ１１２の内径（Ｄ１）が小さいほど、第２空気通過孔１４２の幅（Ｗ１）は大きくなる。参考的に、本実施形態において第２空気通過孔１４２の幅（Ｗ１）は８．５ｍｍである。
【００４９】
図６に示されたように、集塵効率を高めるために、第１空気通過孔１４１（図３参照）にフィルタ１５０を接着または挿入して装着できる。もちろん、必要によっては、第１空気通過孔１４１および第２空気通過孔１４２（図３参照）にそれぞれ装着することができ、第２空気通過孔１４２にのみ装着することもできる。残りの構成要素は、第１実施形態と同一である。
【００５０】
一方、図７は、集塵装置の他の実施形態を示したものであって、第１空気通過孔１４１を第１ガイド部材１３１の一側端が流入パイプ１１２’の一側端より上部に位置されている。即ち、流入パイプ１１２’が第１ガイド部材１３１の開口１３１ｅ（図４Ａ参照）を貫通する長さ（Ｈ３）を有するようにして、第１ガイド部材１３１と流入パイプ１１２’との間に空気が通過できる空気流路である第１空気通過孔１４１を形成する。
【００５１】
より具体的に、このように形成された第１空気通過孔１４１は、第１ガイド部材１３１の右側面１３１ｄと流入パイプ１１２’により形成された幅がＷ２である帯状の孔である。
【００５２】
そして、このような第１空気通過孔１４１の幅（Ｗ２）は、第１ガイド部材１３１の傾斜角（θ１）と、流入パイプ１１２’の内径（Ｄ１）に伴って異なる可能性がある。たとえば、第１ガイド部材１３１の傾斜角（θ１）が小さいほど、流入パイプ１１２’の内径（Ｄ１）が小さいほど、第１空気通過孔１４１の幅（Ｗ２）は大きくなる。残りの構成要素は、前述の実施形態と同一であるので、同一な参考符号を用い、説明を省略する。
【００５３】
第２実施形態においても、図８に示されたように、第１空気通過孔１４１にゴミの集塵効率を高めるためのフィルタ１６０を装着することができる。勿論、必要によっては、第１空気通過孔１４１および第２空気通過孔１４２（図７参照）にそれぞれ装着することができ、第２空気通過孔１４２にのみ装着することもできる。
【００５４】
前述のような構成を有する流入パイプ１１２、１１２’と、ガイド部材１３０により集塵装置１００内の空気流路が簡単に構成されることができる。これにより、内部流路が改善された集塵装置１００が提供される。
【００５５】
以下、本発明の第１実施形態に係る集塵装置１００の動作を、図１乃至図５および図９を参照して説明する。
【００５６】
図３および図９を参照すると、真空掃除機（図示省略）が可動すると、吸入力が発生し、これによりゴミが含まれた外部空気が集塵装置の上壁に形成された空気流入口１１１に流入される（Ｓ１）。流入された空気は、流入パイプ１１２に一端で吐き出され、汚物収去筒１２０の底１２０ａまで下降する。
【００５７】
このとき、集塵空気中に含まれたゴミのうち、比較的に重さのあるゴミや汚物などは、続けて下降しようとする慣性力により汚物収去筒１２０の底１２０ａとぶつかって集塵空気から分離された後、汚物収去筒１２０の底１２０ａに溜まる（Ｓ２）。
【００５８】
ゴミと分離された空気は、第１ガイド部材１３１の下面１３１ｃとぶつかってその流れが変わりつつ、第１空気通過孔１４１を抜け出る（Ｓ３）。
【００５９】
このとき、上昇する空気中に含まれた一部微細ゴミと、汚物収去筒１２０に収去された後にさらに上昇するゴミは、第１ガイド部材１３１の下面１３１ｃとぶつかって上昇せず、空気と共に流動される一部微細ゴミなどが小さい第１空気通過孔１４１を通過しながら自然的に分離されるか、またはフィルタにより更に分離されて汚物収去筒１２０に落ちる（Ｓ４）。
【００６０】
第１空気通過孔１４１を抜け出ながら分離されていない微細ゴミがある場合、第２ガイド部材１３２の下面１３２ｃにぶつかって第２ガイド部材１３２の下部から再度分離され、空気の流れが変わりつつ第２空気通過孔１４２を抜け出る（Ｓ５）。
【００６１】
これまで分離されずに残っているゴミは、さらに第２空気通過孔１４２を通過しながら更に分離され、第１ガイド部材１３１の上面１３１ｂに落ちる（Ｓ６）。このように落ちたゴミは、傾斜した第１ガイド部材１３１の上面１３１ｂを滑り下がって第１空気通過孔１４１を通過した後、汚物収去筒１２０に落ちる。その後、第２空気通過孔１４２を抜け出たゴミが除去された浄化空気は、集塵装置の側壁に形成された排気口１１３を通じて集塵装置１００の外部に排出される（Ｓ７）。
【００６２】
以上、本発明を本発明の原理を例示するための好ましい実施形態について図説したが、本発明は、このように図説されたそのままの構成および作用に限定されるものでない。却って、添付の特許請求の範囲の思想および範疇を逸することなく、本発明に対する多数の変更および修正が可能であることを、当業者はよく理解できる。従って、このような全ての適切な変更および修正と均等物も本発明の範囲に属するものとみなされるべきである。
【産業上の利用可能性】
【００６３】
本発明である集塵装置および集塵方法は、キャニスター型、ドラム型、アップライト型、スチック型、ハンディ型、ロボット型掃除機に全て適用される。
【図面の簡単な説明】
【００６４】
【図１】本発明の第１実施形態に係る集塵装置を示す斜視図である。
【図２】図１の集塵装置の平面図である。
【図３】図２の断面III−IIIを示す図である。
【図４Ａ】図３の第１ガイド部材を示す平面図である。
【図４Ｂ】図３の第２ガイド部材を示す平面図である。
【図５】図１の断面Ｖ−Ｖを示す図である。
【図６】図３の第２空気通過孔にフィルタが装着された図である。
【図７】本発明の第２実施形態に係る集塵装置を示す図である。
【図８】図７の第２空気通過孔にフィルタが装着された図である。
【図９】本発明の集塵装置を説明するためのブロック図である。
【符号の説明】
【００６５】
１００    集塵装置
１００ａ  上壁
１００ｂ  側壁
１１１    空気流入口
１１２、１１２’  流入パイプ
１１３    排気口
１２０    汚物収去筒
１３０    ガイド部材
１３１    第１ガイド部材
１３２    第２ガイド部材
１４０    空気通過孔
１４１    第１空気通過孔
１４２    第２空気通過孔
１５０    フィルタ
【図１】
2006158943.tif 000003
【図２】
2006158943.tif 000004
【図３】
2006158943.tif 000005
【図４Ａ】
2006158943.tif 000006
【図４Ｂ】
2006158943.tif 000007
【図５】
2006158943.tif 000008
【図６】
2006158943.tif 000009
【図７】
2006158943.tif 000010
【図８】
2006158943.tif 000011
【図９】
2006158943.tif 000012